(57)【要約】【課題】発熱量が異なる電子機器を効率的に設置する。【解決手段】高負荷サーバーエリア１００と低負荷サーバーエリア２００とを一棟のデータセンター１０内に併設することで、発熱量が異なる高負荷サーバー１７０と低負荷サーバー１７２とを効率的に設置することができる。言い換えると、空調仕様が異なる高負荷サーバー１７０と低負荷サーバー１７２とを効率的に設置することができる。【選択図】図１
2015121027.tif 000002
【特許請求の範囲】
【請求項１】
上層に第一電子機器が設置可能とされ、下層が通風空間として利用可能な第一エリアと、
上層と下層とをそれぞれ二重床とし、第二電子機器が設置可能な第二エリアと、
を備える構造物。
【請求項２】
上下二層で構成された電子機器設置ルームの上層と下層とが、パネルで仕切られることで、前記第一エリアと前記第二エリアとが形成されている請求項１に記載の構造物。
【請求項３】
前記電子機器設置ルームの前記上層と前記下層との間は、前記第一電子機器及び前記第二電子機器の荷重を支持することが可能な支持部材で構成され、
前記第一エリアでは、通風機能を有する第一床材が前記支持部材に支持され、
前記第二エリアでは、断熱機能を有する第二床材が前記支持部材に支持され、前記第二床材によって前記上層と前記下層との間が仕切られている、
請求項２に記載の構造物。
【発明の詳細な説明】
【技術分野】
【０００１】
本発明は、電子機器を設置する構造物に関する。
【背景技術】
【０００２】
特許文献１には、建物躯体に耐震壁を固定してある耐震壁固定構造に関する技術が開示されている。この先行技術では、耐震壁を各別に固定可能な複数の固定部を建物躯体に設け、複数の固定部のうちから選択した予備固定部を残して、一部の固定部に耐震壁を取り外し可能に固定している。
【０００３】
特許文献２には、多量の顕熱を発熱する高負荷機器を冷却すべく、高負荷機器を収容した室の床面から比較的多量の冷却空気を上向きに給気する高負荷空調システムに関する技術が開示されている。この先行技術では、高負荷機器を収容した室を下層階又は地盤から水平区画する床版と、室の床面構成材との間に形成された給気プレナムチャンバと、床面構成部材と床版との間に上下方向に延在する気流通過面を有し給気プレナムチャンバ内の空間を還気バッファチャンバと送風チャンバとに分割する熱交換器と、室の還気を還気バッファチャンバに還流させる縦シャフトと、縦シャフト内又は還気バッファチャンバ内に配置された送風機と、を備えている。そして、送風チャンバは、床面構成材の直下に位置しており、送風機の給気圧力下に熱交換器を通過した循環空気は、該送風チャンバを介して室に給気されるように構成されている。
【０００４】
ここで、サーバー等の各種コンピュータやデータ通信装置等を設置して運用するデータセンターが知られている。また、サーバーには、使用電力量が多く発熱量が多い高負荷サーバーと、高負荷サーバーよりも使用電力量が少なく発熱量が少ない低負荷サーバーと、が知られている。これら高負荷サーバーと低負荷サーバーとでは、発熱量（使用電力量）が異なるので、それぞれ最適な空調設備の仕様が異なる。よって、例えば、高負荷サーバーの冷却に対応した空調設備を有するサーバールームに低負荷サーバーを設置すると、冷却能力が過剰な空調設備となり、効率的でなかった。
【先行技術文献】
【特許文献】
【０００５】
【特許文献１】特開２００８−０８８７３９号公報
【特許文献２】特開２０１１−１９６６７１号公報
【発明の概要】
【発明が解決しようとする課題】
【０００６】
本発明は、上記事実を鑑み、発熱量が異なる電子機器を効率的に設置することが可能な構造物を提供することが目的である。
【課題を解決するための手段】
【０００７】
請求項１の発明は、上層に第一電子機器が設置可能とされ、下層が通風空間として利用可能な第一エリアと、上層と下層とをそれぞれ二重床とし、第二電子機器が設置可能な第二エリアと、を備える。
【０００８】
請求項１に記載の発明では、下層が通風空間として利用可能な第一エリアの上層は高い冷却能力を有するので、発熱量の多い第一電子機器を設置することができる。一方、上層と下層とをそれぞれ二重床とした第二エリアは、第一エリアよりも冷却能力は低いが上層と下層とにそれぞれ発熱量の少ない第二電子機器を設置することができる。よって、多く第二電子機器を設置することできる。
【０００９】
このように第一エリアと第二エリアとを一棟の構造物内に併設することで、発熱量が異なる電子機器を効率的に設置することができる。
【００１０】
請求項２の発明は、上下二層で構成された電子機器設置ルームの上層と下層とが、パネルで仕切られることで、前記第一エリアと前記第二エリアとが形成されている。
【００１１】
請求項２に記載の発明では、電子機器設置ルームの上層と下層とがパネルで仕切られることで、第一エリアと第二エリアとが形成される。よって、パネルを設置する位置を変更することで、電子機器設置ルームにおける第一電子機器を設置する第一エリアが占める領域の大きさと第二電子機器を設置する第二エリアが占める領域の大きさとを任意に設定することがきる。したがって、発熱量が異なる電子機器を効率的に設置することができる。
【００１２】
請求項３の発明は、前記電子機器設置ルームの前記上層と前記下層との間は、前記第一電子機器及び前記第二電子機器の荷重を支持することが可能な支持部材で構成され、前記第一エリアでは、通風機能を有する第一床材が前記支持部材に支持され、前記第二エリアでは、断熱機能を有する第二床材が前記支持部材に支持され、前記第二床材によって前記上層と前記下層との間が仕切られている。
【００１３】
請求項３に記載の発明では、電子機器設置ルームの上層と下層との間を構成する支持部材に、通風機能を有する第一床材及び断熱機能を有する第二床材を支持させることで、第一エリアと第二エリアの床を容易に構成することできる。
【００１４】
また、第二床材は断熱機能を有するので、上層と下層との間に熱伝導が抑制される。よって、第二エリアの上層及び下層に設置された第二電子機器を効率的に冷却することができる。
【発明の効果】
【００１５】
本発明によれば、発熱量が異なる電子機器を効率的に設置することができる。
【図面の簡単な説明】
【００１６】
【図１】本発明の一実施形態のデータセンターのＹ方向に沿った断面構造を示す縦断面図である。
【図２】図１に示すデータセンターのサーバー設置ルームの上層を示す平面図である。
【図３】図１に示すデータセンターのサーバー設置ルームの高負荷サーバーエリアのＸ方向に沿った断面構造を示す縦断面図である。
【図４】図１に示すデータセンターのサーバー設置ルームの低負荷サーバーエリアのＸ方向に沿った断面構造を示す縦断面図である。
【図５】図１に示すデータセンターのサーバー設置ルームを仕切る乾式鋼製間仕切パネルを示す縦断面図である。
【図６】図１に示すデータセンターのサーバー設置ルームにおける高負荷サーバーエリアが占める領域を低負荷サーバーエリアが占める領域よりも大きくした場合のＹ方向に沿った断面構造を示す縦断面図である。
【図７】高負荷サーバーエリア及び低負荷サーバーエリアにする前のサーバー設置ルームを示すＹ方向に沿った縦断面図である。
【図８】高負荷サーバーエリア及び低負荷サーバーエリアにした状態のサーバー設置ルームを示すＹ方向に沿った縦断面図である。
【図９】低負荷サーバーエリアの一部を高負荷サーバーエリアにレイアウト変更する工程において、低負荷サーバーエリアを新たに乾式鋼製間仕切パネルで仕切った状態を示すＹ方向に沿った縦断面図である。
【図１０】低負荷サーバーエリアの一部を高負荷サーバーエリアにレイアウト変更する工程において、乾式鋼製間仕切パネル間の二重床及び断熱パネルを撤去した状態を示すＹ方向に沿った縦断面図である。
【図１１】サーバー設置ルームにおける高負荷サーバーエリアが占める領域を低負荷サーバーエリアが占める領域よりも大きくしたサーバー設置ルームを示すＹ方向に沿った縦断面図である。
【図１２】サーバー設置ルームにおける高負荷サーバーエリア及び低負荷サーバーエリアの他の配置例を示す（Ａ）は第一の配置例を示す模式図であり、（Ｂ）は第二の配置例を示す模式図である。
【図１３】データセンターにおける高負荷サーバーエリア及び低負荷サーバーエリアの他の配置例を示す模式図である。
【発明を実施するための形態】
【００１７】
本発明の一実施形態に係る構造物の一例としてのデータセンター１０について説明する。なお、平面視における直交する二方向をＸ方向及びＹ方向とし、鉛直方向をＺ方向とする。
【００１８】
＜構造＞
まず、データセンター１０の全体構造について説明する。
【００１９】
図１に示すように、データセンター１０は、第一電子機器の一例としての高負荷サーバー１７０と第二電子機器の一例として低負荷サーバー１７２との両方を設置することが可能な建物とされている。また、データセンター１０は、これら高負荷サーバー１７０及び低負荷サーバー１７２以外の図示していないメインフレーム等の各種コンピュータやデータ通信装置等が設置されている。
【００２０】
なお、高負荷サーバー１７０及び低負荷サーバー１７２は、それぞれサーバーラックに収納されている。また、各図では高負荷サーバー１７０及び低負荷サーバー１７２は、サーバーラックに収納されている状態が図示されている。
【００２１】
データセンター１０は、免震装置１２で支持された四階建ての免震構造の鉄筋コンクリート造や鉄骨鉄筋コンクリート造の建物となっている。データセンター１０の一階１０Ａ及び二階１０Ｂには、熱源機械室、高圧サブ変電室、及び特高電気室等が配置された設備室１４や図示していないエントランスや居室等が設けられている。また、三階（Ｎ階）１０Ｃと四階（Ｎ＋１階）１０Ｄとには、前述した高負荷サーバー１７０と低負荷サーバー１７２とが設置可能なサーバー設置ルーム３０が設けられている。
【００２２】
図１、図７、図８に示すように、サーバー設置ルーム３０の基本構造は、上層３２と下層３４との二層構造となっており、サーバー設置ルーム３０の上層３２（四階１０Ｄ）の天井部分と下層３４（三階１０Ｃ）の床部分とは、それぞれ梁４６で支持されたスラブ４２、４４で構成されている。
【００２３】
図７に示すように、サーバー設置ルーム３０における上層３２と下層３４との間は、梁５２及び梁５４と、梁５２及び５４に支持された平面格子状に配置された根太５６と、で構成されている。
【００２４】
図１、図２、図８に示すように、サーバー設置ルーム３０は、高負荷サーバー１７０を設置する高負荷サーバーエリア１００（図３参照）と、低負荷サーバー１７２を設置する低負荷サーバーエリア２００（図４参照）と、を有している。高負荷サーバーエリア１００と低負荷サーバーエリア２００とは、上層３２と下層３４とが、それぞれ移設可能で耐火性能を有する乾式鋼製間仕切パネル３００で仕切られることで形成されている。
【００２５】
図５に示すように、乾式鋼製間仕切パネル３００は、レール状の上側取付部３１０及び下側取付部３２０とパネル本体３０２とを有している。パネル本体３０２は、上側取付部３１０と下側取付部３２０との間に配置され、ビス３１２によって上側取付部３１０及び下側取付部３２０に固定されている。
【００２６】
なお、乾式鋼製間仕切パネル３００のパネル本体３０２は、上側取付部３１０及び下側取付部３２０から取り外し、別の場所の上側取付部３１０及び下側取付部３２０に取り付けることが可能な構成となっている。つまり、パネル本体３０２（乾式鋼製間仕切パネル３００）は、移設可能となっている。なお、図５の左図は、パネル本体３０２が取り付けられていない状態を示すため、パネル本体３０２を想像線（二点破線）で図示している。
【００２７】
図７及び図８に示すように、乾式鋼製間仕切パネル３００を構成する上側取付部３１０及び下側取付部３２０は、上層３２のスラブ４２及び下層３４のスラブ４４を支持する梁４６に対応する位置に、それぞれ固定されている。前述したように、乾式鋼製間仕切パネル３００（パネル本体３０２）は、上側取付部３１０及び下側取付部３２０が固定されている位置であれば、自由に設置し、仕切ることができる。
【００２８】
図８に示すように、高負荷サーバーエリア１００では、上層３２と下層３４との間を構成する根太５６に床パネル９１が支持されている。床パネル９１は、矩形状のフリーアクセスフロアプレート９２と通風可能な矩形状のグレーチング９４とで構成されている。そして、床パネル９１のフリーアクセスフロアプレート９２の上に高負荷サーバー１７０を収容したサーバーラックが設置されている。つまり、高負荷サーバー１７０は、高負荷サーバーエリア１００の上層３２に設置されている（図１及び図３も参照）。なお、床パネル９１でなく、根太５６の上に高負荷サーバー１７０を収容したサーバーラックが設置されていてもよい。また、以降、高負荷サーバー１７０がサーバーラックに収容された状態であっても便宜上「高負荷サーバー１７０」として説明する。
【００２９】
図２に示すように、高負荷サーバーエリア１００の上層３２に設置された高負荷サーバー１７０は、Ｘ方向に沿って列をなして配置されると共に、この列がＹ方向に間隔をあけて配置にされている。また、高負荷サーバー１７０は、前面と背面とが向かい合うように設置され、図８に示すように高負荷サーバー１７０の前面同士が向かい合う列と列との間のコールドアイルに対応する床面に、通風可能なグレーチング９４が設置されている。
【００３０】
図１、図３、図８に示すように、高負荷サーバーエリア１００の下層３４は、通風空間３５とされると共に、メンテナンスエリアとしても利用される。また、高負荷サーバーエリア１００の下層３４には、バスダクト３７や後述する補助冷却装置７６が設けられている。
【００３１】
図２に示すように、サーバー設置ルーム３０のＸ方向外側には、空調室６０が設けられている。
【００３２】
図３に示すように、空調室６０における高負荷サーバーエリア１００に対応する高負荷空調エリア６２（図２も参照）には、高負荷空調装置７０が設けられている。本実施形態においては、高負荷空調装置７０は、第一熱交換器７２Ａ及び第二熱交換器７２Ｂと空調ファン７４とを有するシステム構成となっている。
【００３３】
第一熱交換器７２Ａは、高負荷空調エリア６２の上層６２Ａの天井部分を構成するスラブ４２の近傍に設置されている。第二熱交換器７２Ｂは、高負荷空調エリア６２の下層６２Ｂの床部分を構成するスラブ４４の上に設置されている。また、空調ファン７４は、高負荷空調エリア６２の上層６２Ａの床６６の上に設置されている。
【００３４】
このような構成の高負荷空調装置７０によって、矢印Ｋで示すように、高負荷サーバー１７０が設置された上層３２の空気が冷却され下層３４（通風空間３５）に送風される。下層３４の空気は、通風可能なグレーチング９４（図８参照）から上層３２に噴き出される。この上層３２に噴き出された空気によって高負荷サーバー１７０が冷却されると共に、温度が上昇した空気が高負荷空調装置７０によって冷却され下層３４（通風空間３５）に送風される。このように高負荷サーバーエリア１００では、空調された空気が上層３２と下層３４との間で循環するようになっている。なお、矢印Ｋのドットは、空気の温度が高いことを示している。
【００３５】
また、本実施形態では、高負荷サーバーエリア１００の下層３４には、補助冷却装置７６が設置されている（図８も参照）。補助冷却装置７６は、局所的に冷却するタスク空調機で構成されている。そして、下層３４の空気は、補助冷却装置７６によって、更に冷却されて、上層３２に噴き出されている。
【００３６】
なお、空調室６０に設置されている高負荷空調装置７０が高負荷サーバー１７０を冷却する能力を十分有していれば、補助冷却装置７６は設置されていなくてもよい。或いは、補助冷却装置７６が設置されていても稼動を停止してもよい。
【００３７】
図８に示すように、低負荷サーバーエリア２００では、上層３２と下層３４との間を構成する梁５２及び梁５４に、断熱機能を有する断熱パネル２０２が支持され敷き詰められている（図４も参照）。よって、低負荷サーバーエリア２００では、上層３２と下層３４との間は、断熱パネル２０２で仕切られ、上層３２と下層３４との間の通風が遮断されると共に、断熱されている。言い換えると、上層３２と下層３４との間が、断熱パネル２０２によって水平区画されている。なお、本実施形態では、断熱パネル２０２は、耐火性及び耐然性を併せ持つパネル、例えば、オートクレーブ養生（高温高圧多湿養生）した軽量気泡コンクリート（Autoclaved Lightweight aerated Concrete(ALC)）で構成されている。
【００３８】
また、低負荷サーバーエリア２００では、上層３２と下層３４との間を構成する根太５６に、二重床（フリーアクセスフロア）２１０が支持されている。また、下層３４のスラブに二重床（フリーアクセスフロア）２１０が支持されている。
【００３９】
二重床２１０の床面（上面）を構成する床パネル９３は、矩形状のフリーアクセスフロアプレート９２と通風可能な矩形状のグレーチング９４とで構成されている。そして、上層３２及び下層３４のそれぞれの二重床２１０の床パネル９３のフリーアクセスフロアプレート９２の上に、低負荷サーバー１７２を収容したサーバーラックが設置されている。つまり、低負荷サーバーエリア２００の上層３２と下層３４とにそれぞれ低負荷サーバー１７２が設置されている（図１及び図４も参照）。なお、根太５６やスラブ４４に置かれた架台の上に低負荷サーバー１７２を収容したサーバーラックが設置されていてもよい。また、以降、低負荷サーバー１７２がサーバーラックに収容された状態であっても便宜上「低負荷サーバー１７２」として説明する。
【００４０】
図２に示すように、低負荷サーバーエリア２００の上層３２及び下層３４にそれぞれ設置された低負荷サーバー１７２は、Ｘ方向に沿って列をなして配置されると共に、この列がＹ方向に間隔をあけて配置にされている。また、低負荷サーバー１７２は、前面と背面とが向かい合うように設置され、図８に示すように低負荷サーバー１７２の前面同士が向かい合う列と列との間のコールドアイルに対応する床面に通風可能なグレーチング９４が設置されている。
【００４１】
図４に示すように、空調室６０における低負荷サーバーエリア２００に対応する低負荷空調エリア６４（図２も参照）の上層６４Ａの床６６と下層６４Ｂの床部分を構成するスラブ４４とに、それぞれ低負荷空調装置７８が設置されている。低負荷空調装置は、熱交換器と空調ファンとが一体となった構成とされている。
【００４２】
これら低負荷空調装置７８によって、矢印Ｋで示すように、低負荷サーバー１７２が設置された上層３２の天井近傍の空気が冷却され、二重床２１０の床パネル９３と断熱パネル２０２との間の通風空間２１２に送風される。この通風空間２１２の空気は、二重床２１０の床パネル９３の通風可能なグレーチング９４（図８参照）から床上に噴き出される。床上に噴き出された空気によって低負荷サーバー１７２が冷却されると共に、温度が上昇した空気が低負荷空調装置７８によって冷却され、二重床２１０の床パネル９３と断熱パネル２０２との間の通風空間２１２に送風される。
【００４３】
同様に低負荷サーバー１７２が設置された下層３４においても、低負荷空調装置７８に下層３４の天井近傍の空気が冷却され、二重床２１０の床パネル９３とスラブ４４との間の通風空間２１２に送風する。この通風空間２１２の空気は、二重床２１０の床パネル９３の通風可能なグレーチング９４（図８参照）から床上に噴き出される。床上に噴き出された空気によって低負荷サーバー１７２が冷却されると共に、温度が上昇した空気が低負荷空調装置７８によって冷却され、二重床２１０のスラブ４２と断熱パネル２０２との間の通風空間２１２に送風される。
【００４４】
このように低負荷サーバーエリア２００では、上層３２と下層３４との間が断熱パネル２０２で仕切られて通風が遮断され、これにより空調された空気が上層３２と下層３４とで、それぞれ独立して循環するようになっている。
【００４５】
（高負荷サーバー及び低負荷サーバー）
ここで、高負荷サーバー１７０及び低負荷サーバー１７２について説明する。
【００４６】
本実施形態の高負荷サーバー１７０は皮相電力が８ｋＶＡの電力仕様とされ、本実施形態の低負荷サーバー１７２は皮相電力が４ｋＶＡの電力仕様とされている。また、高負荷サーバー１７０は皮相電力が８ｋＶＡであるので発熱量が多く、低負荷サーバー１７２は皮相電力が４ｋＶＡであるので発熱量が少ない。
【００４７】
なお、高負荷サーバー１７０及び低負荷サーバー１７２は、上記仕様に限定されるものではない。二つの異なる仕様のサーバーのうち、電力使用量が多く発熱量の大きなサーバーが高負荷サーバー（第一サーバー）１７０であり、電力使用量が少なく発熱量の少ないサーバーが低負荷サーバー（第二サーバー）１７２である。
【００４８】
＜レイアウト変更＞
つぎに、一例として、図１に示すサーバー設置ルーム３０における右側の低負荷サーバーエリア２００が左側の高負荷サーバーエリア１００よりも広いレイアウトから、竣工後に図６に示す左側の高負荷サーバーエリア１００が右側の低負荷サーバーエリア２００よりも広いレイアウトに変更する場合について説明する。
【００４９】
なお、前述したように、図１及び図８に示すように、サーバー設置ルーム３０は、上層３２と下層３４とが移設可能な乾式鋼製間仕切パネル３００（図５も参照）で仕切られることで、高負荷サーバーエリア１００と低負荷サーバーエリア２００とが形成されている。
【００５０】
まず、図９に示すように、乾式鋼製間仕切パネル３００（パネル本体３０２）で新たに仕切る位置の上側取付部３１０及び下側取付部３２０に、パネル本体３０２を取り付ける。また、乾式鋼製間仕切パネル３００の外側を養生シート３５０で養生する。そして、左右の乾式鋼製間仕切パネル３００間の低負荷サーバー１７２を撤去する。
【００５１】
図１０に示すように、左右の乾式鋼製間仕切パネル３００間の二重床２１０と断熱パネル２０２とを撤去する。
【００５２】
図１１に示すように、左右の乾式鋼製間仕切パネル３００間における上層３２と下層３４との間に床パネル９１（フリーアクセスフロアプレート９２及びグレーチング９４）を配置して根太５６に支持させる。そして、高負荷サーバー１７０を追加設置する。また、養生シート３５０を撤去する。
【００５３】
図示は省略するが、空調室６０における高負荷空調エリア６２（図２参照）を広げ、高負荷空調装置７０を増設する。
【００５４】
このように、乾式鋼製間仕切パネル３００を移設して、右側の低負荷サーバーエリア２００の一部が高負荷サーバーエリア１００に変更される。
【００５５】
＜作用及び効果＞
つぎに、本実施形態の作用及び効果について説明する。
【００５６】
サーバー設置ルーム３０における高負荷サーバーエリア１００は、上層３２に高負荷サーバー１７０を設置し、下層３４を通風空間３５として利用している。よって、高負荷サーバーエリア１００が設置されている上層３２は高い冷却能力を有するので、電力使用量が多く発熱量の多い高負荷サーバー１７０を設置することができる（図３を参照）。
【００５７】
一方、サーバー設置ルーム３０における低負荷サーバーエリア２００は、上層３２と下層３４とをそれぞれ二重床２１０として、電力使用量が少なく発熱量の少ない低負荷サーバー１７２を設置することで、多くの低負荷サーバー１７２を設置することができる。
【００５８】
このように高負荷サーバーエリア１００と低負荷サーバーエリア２００とを一棟のデータセンター１０内に併設することで、発熱量が異なる高負荷サーバー１７０と低負荷サーバー１７２とを効率的に設置することができる。言い換えると、空調仕様が異なる高負荷サーバー１７０と低負荷サーバー１７２とを効率的に設置することができる。
【００５９】
なお、本実施形態のように、高負荷サーバーエリア１００の下層３４の通風空間３５に補助冷却装置７６を設置することで、高負荷サーバーエリア１００の冷却能力が更に向上する。よって、本実施形態の皮相電力が８ｋＶＡである高負荷サーバー１７０よりも皮相電力が大きな、例えば、３０ｋＶＡの超高負荷サーバーにも容易に対応することができる。
【００６０】
なお、前述したように、高負荷空調装置７０が十分な冷却能力を有していれば、補助冷却装置７６は設置されていなくてもよい。或いは、補助冷却装置７６を設置しても稼動を停止していてもよい。
【００６１】
また、乾式鋼製間仕切パネル３００（パネル本体３０２）で仕切る位置によって、サーバー設置ルーム３０における高負荷サーバーエリア１００が占める領域と低負荷サーバーエリア２００が占める領域とを自由に設定することができる。つまり、図１及び図８に示すように、サーバー設置ルーム３０のＹ方向の左端側を乾式鋼製間仕切パネル３００（パネル本体３０２）で仕切ることで高負荷サーバーエリア１００よりも低負荷サーバーエリア２００が占める領域が大きくなるように設定される。逆に図６及び図１１に示すように、サーバー設置ルーム３０のＹ方向の右側を乾式鋼製間仕切パネル３００（パネル本体３０２）で仕切ることで、低負荷サーバーエリア２００よりも高負荷サーバーエリア１００が占める領域が大きくなるように設定される。
【００６２】
また、サーバー設置ルーム３０の上層３２と下層３４との間は、梁５２、５４及び根太５６で構成されている。よって、根太５６に床パネル９１（フリーアクセスフロアプレート９２及びグレーチング９４）を支持させることで高負荷サーバーエリア１００となり、梁５２、５４及び根太５６に断熱パネル２０２と二重床２１０を支持させることで低負荷サーバーエリア２００となる。
【００６３】
つまり、サーバー設置ルーム３０の上層３２と下層３４との間を梁５２、５４及び根太５６で構成することで、高負荷サーバーエリア１００の床と低負荷サーバーエリア２００との床を容易に構成することできると共に、高負荷サーバーエリア１００の床と低負荷サーバーエリア２００の床との変更を容易に行うことができる。
【００６４】
したがって、前述したように、低負荷サーバーエリア２００の一部を高負荷サーバーエリア１００に容易に変更することができる。なお、詳しい説明は省略するが、前述した工程を逆に行うことで高負荷サーバーエリア１００の一部を低負荷サーバーエリア２００にすることも容易である。
【００６５】
また、高負荷サーバーエリア１００と低負荷サーバーエリア２００との間を仕切る壁は、簡易に取り外し付け替えができる乾式鋼製間仕切パネル（耐火間仕切りパネルシステム）３００を採用することで、粉塵を極力抑えて乾式鋼製間仕切パネル３００（のパネル本体３０２）を移設することができる。
【００６６】
また、低負荷サーバーエリア２００の上層３２と下層３４との間に断熱パネル２０２を設けて仕切ることで、上層３２と下層３４との間で空調空気の移動が遮断されると共に熱伝導が抑制される。したがって、冷却効率が向上し、上層３２及び下層３４のそれぞれに設置された低負荷サーバー１７２を効率よく冷却することができる。また、耐火性能も向上する。
【００６７】
また、本実施形態では、サーバー設置ルーム３０の下層３４には、構造ブレースを入れることなく、強度が確保されている。よって、下層３４を二重床２１０として低負荷サーバー１７２を設置することが可能となっている。なお、一般的なラーメン構造では梁成が大きくなりすぎるため、本実施形態では、梁５２及び梁５４をスパン中央に追加し、荷重を分散して梁成を小さくすることで、階高を抑えている。
【００６８】
＜その他＞
尚、本発明は上記実施形態に限定されない。
【００６９】
また、例えば、上記実施形態では、上層３２と下層３４との二層で構成されたサーバー設置ルーム３０を、乾式鋼製間仕切パネル３００（パネル本体３０２）で仕切って高負荷サーバーエリア１００と低負荷サーバーエリア２００とを形成したが、これに限定されない。乾式鋼製間仕切パネル３００（パネル本体３０２）以外のパネルや壁で仕切って、高負荷サーバーエリア１００と低負荷サーバーエリア２００とを形成してもよい。
【００７０】
また、上記実施形態では、高負荷サーバーエリア１００と低負荷サーバーエリア２００とが左右に並んで配置されているが、これに限定されない。
【００７１】
例えば、図１２（Ａ）に示すように、サーバー設置ルームの３０の両側に高負荷サーバーエリア１００が設けられ、これら高負荷サーバーエリア１００の間に低負荷サーバーエリア２００が設けられた構成であってもよい。
【００７２】
或いは、図１２（Ｂ）に示すように、サーバー設置ルームの３０の一方側に高負荷サーバーエリア１００が設けられ、他方側に低負荷サーバーエリア２００が設けられ、これらの間はサーバー未設置ルーム１５０とした構成であってもよい（図１０も参照）。なお、このサーバー未設置ルーム１５０は、将来、高負荷サーバーエリア１００又は低負荷サーバーエリア２００として利用することが可能である。
【００７３】
また、竣工当初は、低負荷サーバーエリア２００の上層３２及び下層３４の一方のみを二重床２１０にして低負荷サーバー１７２を設置して、後から上層３２と下層３４と両方を二重床２１０にして低負荷サーバー１７２を追加設置してもよい。
【００７４】
また、竣工当初のサーバー設置ルーム３０は、図７に示すような高負荷サーバーエリア１００及び低負荷サーバーエリア２００となっていない基本構造の状態とし、その後、適宜、高負荷サーバーエリア１００及び低負荷サーバーエリア２００（図８や図１１を参照）として高負荷サーバー１７０及び低負荷サーバー１７２を順次設置していってもよい。
【００７５】
また、例えば、上記実施形態では、三階及び四階にサーバー設置ルーム３０を設けた四階建てのデータセンター１０であったが、これに限定されるものではない。データセンターは、どのような構造であってもよい。また、三階及び四階以外にサーバー設置ルーム３０を設けてもよい。例えば、六階建てのデータセンターの場合は、五階及び六階にサーバー設置ルーム３０を設けてもよい。更に、二階及び三階にサーバー設置ルーム３０を設け、更に五階及び六階にサーバー設置ルーム３０を設けてもよい。つまり、連続するＮ層及びＮ＋１層にサーバー設置ルームを設ければよい。
【００７６】
更に、図１３に示すように、上層５１２に高負荷サーバーが設置可能とされ下層５１４が通風空間として利用可能な高負荷サーバーエリア５１０と、上層５２２と下層５２４とをそれぞれ二重床２１０とし低負荷サーバー１７２が設置可能な低負荷サーバーエリア５２０と、が正面視で斜めに離れた位置に配置されたデータセンター５００であってもよい。或いは、図示は省略するが、平面視で、高負荷サーバーエリア５１０と低負荷サーバーエリア５２０とが離れた位置に配置されていてもよい。なお、図示は省略するが、高負荷サーバーエリア５１０及び低負荷サーバーエリア５２０を空調する空調機器が設置された空調室が、高負荷サーバーエリア５１０と低負荷サーバーエリア５２０とにそれぞれ隣接して設けられている。
【００７７】
要は、「上層に第一サーバーが設置可能とされ、下層が通風空間として利用可能な第一エリア」と「上層と下層とをそれぞれ二重床とし、第二サーバーが設置可能な第二エリア」とが、一つの構造物内に設けられていればよい。また、第一サーバー（高負荷サーバー）と第二サーバー（低負荷サーバー）とは、例えば竣工当初は設置されていなくても、設置が可能であればよい。
【００７８】
また、上記実施形態では、サーバーを設置するサーバー設置ルームに本発明を適用したが、これに限定されない。サーバー以外の電子機器、例えば、ストレージ、ネットワークスイッチなどの電子機器を設置する電子機器設置ルームにも本発明を適用することができる。
【００７９】
更に、本発明の要旨を逸脱しない範囲において種々なる態様で実施し得ることは言うまでもない。
【符号の説明】
【００８０】
１０      データセンター（構造物の一例）
３０      サーバー設置ルーム（電子機器設置ルームの一例）
３２      上層
３４      下層
５２      梁（支持部材の一例）
５４      梁（支持部材の一例）
５６      根太（支持部材の一例）
９１      床パネル（第一床材の一例）
１００      高負荷サーバーエリア（第一エリアの一例）
１７０      高負荷サーバー（第一電子機器の一例）
１７２      低負荷サーバー（第二電子機器の一例）
２００      低負荷サーバーエリア（第二エリアの一例）
２０２      断熱パネル（第二床材の一例）
２１０      二重床
３００      乾式鋼製間仕切パネル（パネルの一例）
５００      データセンター（構造物の一例）
５１２      上層
５１４      下層
５２２      上層
５２４      下層
【図１】
2015121027.tif 000003
【図２】
2015121027.tif 000004
【図３】
2015121027.tif 000005
【図４】
2015121027.tif 000006
【図５】
2015121027.tif 000007
【図６】
2015121027.tif 000008
【図７】
2015121027.tif 000009
【図８】
2015121027.tif 000010
【図９】
2015121027.tif 000011
【図１０】
2015121027.tif 000012
【図１１】
2015121027.tif 000013
【図１２】
2015121027.tif 000014
【図１３】
2015121027.tif 000015